(57)【要約】【課題】  送信要求に応じて転送される映像データの表示に関わるセキュリティを確実に維持することのできる映像監視システム及びその映像表示方法を提供すること。【解決手段】  情報保持サーバは、ユーザに対応するパスワードと映像監視装置識別情報と映像データの表示に関する権限情報とを対応付けて記憶する記憶手段を有している。映像取得装置は、映像監視装置からのパスワード及び映像監視装置固有の識別情報と共に表示許可依頼を情報保持サーバへ送信する。情報保持サーバは、取得したパスワード及び映像監視装置識別情報が記憶手段に記憶されている場合のみ、それらの情報に対応する権限情報に基づく映像データの表示については許可し、その旨を映像取得装置へ通知する。映像取得装置は、情報保持サーバからの表示許可情報に基づく映像データを映像監視装置へ転送する。【選択図】      図１０
2007258957.tif 000002
【特許請求の範囲】
【請求項１】
カメラによる撮像に関わる映像データを蓄積し、映像データの送信要求に応じて当該映像データを提供する映像取得装置と、
上記映像取得装置に対して映像データの送信要求を行い、該送信要求に応じて上記映像取得装置から与えられる映像データを表示する映像監視装置と、
ユーザに対応する認証用の情報と上記映像監視装置を識別する識別情報と映像データの表示に関する権限情報とを対応付けて記憶する記憶手段を備える管理装置とを有し、
上記映像監視装置は、当該映像監視装置を識別する識別情報及びユーザにより入力される認証用の情報と共に映像データの送信要求を上記映像取得装置へ送信する映像データ送信要求手段を有し、
上記映像取得装置は、上記映像データ送信要求手段から送信された送信情報を受信したときは、受信した認証用の情報及び映像監視装置を識別する識別情報と共に映像データの表示の許可依頼を上記管理装置へ送信する表示許可依頼手段を有し、
上記管理装置は、
上記表示許可依頼手段から送信された送信情報を受信したときは、受信した認証用の情報及び上記映像監視装置を識別する識別情報と上記記憶手段の記憶内容とを基に当該認証用の情報に対応するユーザは正当なユーザであることを認証する認証手段と、
上記認証手段が正当なユーザであると認証した場合に、当該ユーザに対応する上記権限情報に基づく映像データの表示については許可する旨を上記映像取得装置へ通知する映像データ表示許可手段とを有し、
上記映像取得装置は、さらに、上記映像データ表示許可手段から通知された上記許可する旨を受信したときは、表示許可された映像データについては上記映像監視装置へ転送する転送手段を有する、
ことを特徴とする映像監視システム。
【請求項２】
上記管理装置は、取得した上記権限情報に関する変更情報を基に上記記憶手段に記憶されている上記権限情報を変更する変更手段をさらに有し、
上記映像データ表示許可手段は、上記変更手段によって変更された変更後の上記権限情報に基づく映像データの表示については許可する旨を上記映像取得装置へ通知したときは、所定のタイミングで上記変更後の上記権限情報を変更前の上記権限情報に戻す
ことを特徴とする請求項１に記載の映像監視システム。
【請求項３】
上記変更手段は、当該管理装置の管理者により入力される上記権限情報に関する変更情報を基に、上記記憶手段に記憶されている上記権限情報を変更することを特徴とする請求項２に記載の映像監視システム。
【請求項４】
上記映像取得装置は、変更後の上記権限情報に基づく映像データの表示については許可する旨を受信し、当該表示許可された映像データを上記映像監視装置へ転送したときは、映像データの表示完了を示す旨を上記管理装置へ通知する表示完了通知手段をさらに有し、
上記映像データ表示許可手段は、上記表示完了通知手段から送信された映像データの表示完了を示す旨を受信したときは、上記変更後の上記権限情報を変更前の上記権限情報に戻す
ことを特徴とする請求項２又は３に記載の映像監視システム。
【請求項５】
上記記憶手段は、複数のユーザに対応する複数の認証用の情報毎に、映像監視装置を識別する識別情報及び映像データの表示に関する権限情報を対応付けて記憶し、
上記認証手段は、取得した上記表示許可依頼手段からの認証用の情報及び映像監視装置の識別情報と上記記憶手段の記憶内容とを基に当該ユーザは正当なユーザであることを認証し、
上記映像データ表示許可手段は、上記認証手段が正当なユーザであると認証した場合は、上記記憶手段から抽出した当該ユーザに対応する上記権限情報に基づく映像データの表示については許可する旨を上記映像取得装置へ通知する
ことを特徴とする請求項１〜４のいずれかに記載の映像監視システム。
【請求項６】
上記映像取得装置は、１以上のカメラが撮像したカメラ映像のそれぞれに対応する映像データを蓄積する蓄積手段をさらに有し
上記管理装置において、
上記記憶手段は、複数のユーザに対応する複数の認証用の情報毎に、映像監視装置を識別する識別情報、及び映像データの表示に関する権限情報としての、上記１以上のカメラのうち表示許可対象のカメラを示すカメラ情報を対応付けて記憶し、
上記認証手段は、取得した上記表示許可依頼手段からの認証用の情報及び映像監視装置を識別する識別情報と上記記憶手段の記憶内容とを基に当該ユーザは正当なユーザであることを認証し、
上記映像データ表示許可手段は、上記認証手段が正当なユーザであると認証した場合は、上記記憶手段から抽出した当該ユーザに対応する上記カメラ情報に基づく映像データの表示については許可する旨を上記映像取得装置へ通知する
ことを特徴とする請求項１〜４のいずれかに記載の映像監視システム。
【請求項７】
上記映像取得装置、上記映像監視装置及び上記管理装置のそれぞれとは通信回線を介して接続され、上記映像取得装置、上記映像監視装置及び上記管理装置のそれぞれとの間で上記通信回線を通じて所定の情報の送受信を行うことを特徴とする請求項１〜６のいずれかに記載の映像監視システム。
【請求項８】
送信要求により得られる映像データを表示する映像監視装置が、当該映像監視装置を識別する識別情報及びユーザにより入力される認証用の情報と共に映像データの送信要求を、カメラによる撮像に関わる映像データを蓄積する映像取得装置へ送信する第１のステップと、
上記映像取得装置が、上記第１のステップにより送信された送信情報を受信し、該受信した認証用の情報及び映像監視装置を識別する識別情報と共に映像データの表示の許可依頼を、認証用の情報と映像監視装置を識別する識別情報と映像データの表示に関する権限情報とを対応付けて記憶する記憶手段を有する管理装置へ送信する第２のステップと、
上記管理装置が、上記第２のステップにより送信された送信情報を受信し、該受信した認証用の情報及び映像監視装置を識別する識別情報と上記記憶手段の記憶内容とを基に当該認証用の情報に対応するユーザは正当なユーザであることを認証し、この認証の結果、正当なユーザであると認証した場合は、当該ユーザに対応する上記権限情報に基づく映像データの表示については許可する旨を上記映像取得装置へ通知する第３のステップと、
上記映像取得装置が、上記第３のステップにより通知された許可する旨を受信したときは、表示許可された映像データについては上記映像監視装置へ転送する第４のステップと
を含むことを特徴とする映像監視システムの映像表示方法。
【請求項９】
上記第３のステップは、
取得した上記権限情報に関する変更情報を基に上記管理装置の記憶手段に記憶されている上記権限情報を変更する変更ステップと、
上記変更ステップにより変更された変更後の上記権限情報に基づく映像データの表示については許可する旨を上記映像取得装置へ通知したときは、所定のタイミングで上記変更後の上記権限情報を変更前の上記権限情報に戻す処理ステップとを含む
ことを特徴とする請求項８に記載の映像監視システムの映像表示方法。
【発明の詳細な説明】
【技術分野】
【０００１】
本発明は、カメラ映像をデジタル化して映像データとして蓄積する映像取得装置において蓄積された映像データを映像監視端末で表示する映像監視システム及びその映像表示方法に関する。
【背景技術】
【０００２】
図２０は、従来の映像監視システムの構成図を示している。
【０００３】
図２０に示すように、映像監視システムは、映像監視装置１と映像取得装置２とが、それぞれネットワーク機器４ａ、４ｂ及びネットワーク３を介して接続される。
【０００４】
映像監視装置１は、映像ソフトウェア（アプリケーションプログラム）を実行することにより、映像データの表示処理を実施する。この場合、ユーザによりパスワード、撮影日時やカメラ番号などが入力される。
【０００５】
複数のカメラ＃１〜＃１６が接続されている映像取得装置２は、これら各カメラが撮像したカメラ映像を取得してデジタル化し、これらを映像データとして蓄積すると共に、ネットワーク３を通じて受信する映像監視装置１からのパスワードを図２１に示す照会用情報と照会し、この照会の結果に応じた所定の処理を行う。
【０００６】
照会用情報は、図２１に示すように、パスワードと映像データの表示に関する権限情報つまりカメラを示すカメラ情報とが関連付けされたものである。カメラ情報に基づくカメラに対応する映像データのみが表示可能となる。
【０００７】
なお、パスワード認証時に参照される照会用情報のカメラ情報は、パスワードＡについてはカメラ＃１〜＃１６までの全カメラの表示を許可し、パスワードＢについてはカメラ＃１〜＃５、＃７、＃１０、＃１２〜＃１６の表示のみ許可し、パスワードＣについてはカメラ＃１〜＃３の表示のみ許可し、パスワードＤについては映像表示を一切許可しない（全表示拒否）、それぞれの内容に設定されている。このように、任意に表示許可するカメラのカメラ情報を設定することができる。
【０００８】
図２２は、上記従来の映像監視システムによる映像データの表示処理動作（映像監視装置が映像取得装置に蓄積されている映像データを表示する場合の表示処理動作）を示すシーケンス図を示している。
【０００９】
図２２に示すように、映像監視装置１は、ユーザにより例えばパスワード“Ｂ”が入力されると（Ｓ１）、このパスワード“Ｂ”を映像取得装置２へ送信する（Ｓ２）。
【００１０】
映像取得装置２は、映像監視装置１からのパスワード“Ｂ”を照会用情報（図２１参照）と照会し、パスワード認証する（Ｓ３）。パスワード認証において、映像取得装置２は、受信したパスワード“Ｂ”と一致するパスワードが照会用情報内に登録されている場合は、当該パスワード“Ｂ”に対応して登録されている権限情報（カメラ情報）に基づく映像データについては表示を許可すべく、蓄積している映像データの中から該当する映像データを抽出して映像監視装置１へ転送する（Ｓ４）。
【００１１】
この場合、映像取得装置２は、パスワード“Ｂ”に関わる映像データ送信要求に対する表示許可処理及び映像データの転送処理を行っていることになる。
【００１２】
ところで、映像監視装置１では、転送されてきた映像データ（画像）を例えばディスプレイに表示する（Ｓ５）。この例では、カメラ＃１〜＃５、＃７、＃１０、＃１２〜＃１６のそれぞれによる撮像に関わる映像データが映像監視装置１に表示される。
【発明の開示】
【発明が解決しようとする課題】
【００１３】
しかしながら、上記従来の映像監視システムでは、映像取得装置２によるパスワード認証はパスワードのみによる照会であるため、そのパスワードを知った第３者は、正規の映像監視装置１以外の、映像表示ソフトウェアを有する他の装置を操作して、不正に入手したパスワードを入力することにより、映像データ（画像）を上記他の装置に表示させることができてしまう、という問題点があった。
【００１４】
例えば、パスワード“Ｂ”及び映像監視装置Ｂの正規の所有者であるユーザＢとは異なる第３者Ｘは、そのパスワード“Ｂ”を不正に入手し、映像監視装置Ｂとは異なる映像監視装置Ｘを操作してパスワード“Ｂ”を映像取得装置へ送信することにより、パスワード“Ｂ”に対応するカメラ情報に基づく映像データを映像監視装置Ｘに表示させて閲覧することができてしまう。
【００１５】
また、上記従来の映像監視システムでは、カメラ情報に基づく映像データの表示に制限が与えられている所定のユーザに対し、一時的に、全てのカメラに関わる映像データの表示を許可するようにする場合は、その所定のユーザに、全てのカメラに関わる映像データについて表示を許可する情報（全カメラ表示）のカメラ情報に対応するパスワードを通知する必要がある。そのため、その所定のユーザに、全カメラ表示のカメラ情報に対応するパスワードが流出してしまう、という問題点があった。
【００１６】
例えば、パスワード“Ａ”に対応して全てのカメラに関わる映像データについての表示（全カメラ表示）が許可されている場合、パスワード“Ａ”の正規の所有者とは異なるユーザＢに対し、一時的にパスワード“Ａ”を通知することで、そのユーザＢは、パスワード“Ａ”を使用することにより、全てのカメラに関わる映像データについての表示が可能となる。しかし、この場合、パスワード“Ａ”は、正規の所有者以外のユーザＢに流出してしまうことになる。
【００１７】
そこで、本発明は、送信要求に応じて転送される映像データの表示に関わるセキュリティを確実に維持することのできる映像監視システム及びその映像表示方法を提供することを目的とする。
【課題を解決するための手段】
【００１８】
かかる課題を解決するために、第１の発明に係る映像監視システムは、（１）カメラによる撮像に関わる映像データを蓄積し、映像データの送信要求に応じて当該映像データを提供する映像取得装置と、（２）上記映像取得装置に対し映像データの送信要求を行い、該送信要求に応じて上記映像取得装置から与えられる映像データを表示する映像監視装置と、（３）ユーザに対応する認証用の情報と映像監視装置を識別する識別情報と映像データの表示に関する権限情報とを対応付けて記憶する記憶手段を備える管理装置とを有し、（２）上記映像監視装置は、当該映像監視装置を識別する識別情報及びユーザにより入力される認証用の情報と共に映像データの送信要求を上記映像取得装置へ送信する映像データ送信要求手段を有し、（１）上記映像取得装置は、上記映像データ送信要求手段から送信された送信情報を受信したときは、受信した認証用の情報及び映像監視装置を識別する識別情報と共に映像データの表示の許可依頼を上記管理装置へ送信する表示許可依頼手段を有し、（３）上記管理装置は、上記表示許可依頼手段から送信された送信情報を受信したときは、受信した認証用の情報及び映像監視装置を識別する識別情報と上記記憶手段の記憶内容とを基に当該認証用の情報に対応するユーザは正当なユーザであることを認証する認証手段と、上記認証手段が正当なユーザであると認証した場合は、当該ユーザに対応する上記権限情報に基づく映像データの表示については許可する旨を上記映像取得装置へ通知する映像データ表示許可手段とを有し、さらに、（１）上記映像取得装置は、上記映像データ表示許可手段から通知された上記許可する旨を受信したときは、表示許可された映像データについては上記映像監視装置へ転送する転送手段を有する、ことを特徴とする。
【００１９】
第２の発明に係る映像監視システムの映像表示方法は、（１）送信要求により得られる映像データを表示する映像監視装置が、当該映像監視装置を識別する識別情報及び利用者により入力される認証用の情報と共に映像データの送信要求を、カメラによる撮像に関わる映像データを蓄積する映像取得装置へ送信する第１のステップと、（２）上記映像取得装置が、上記第１のステップにより送信された送信情報を受信し、該受信した認証用の情報及び映像監視装置を識別する識別情報と共に映像データの表示の許可依頼を、認証用の情報と映像監視装置を識別する識別情報と映像データの表示に関する権限情報とを対応付けて記憶する記憶手段を有する管理装置へ送信する第２のステップと、（３）上記管理装置が、上記第２のステップにより送信された送信情報を受信し、該受信した認証用の情報及び映像監視装置を識別する識別情報と上記記憶手段の記憶内容とを基に当該認証用の情報に対応するユーザは正当なユーザであることを認証し、この認証の結果、正当なユーザであると認証した場合は、当該ユーザに対応する上記権限情報に基づく映像データの表示については許可する旨を上記映像取得装置へ通知する第３のステップと、（４）上記映像取得装置が、上記第３のステップにより通知された許可する旨を受信したときは、表示許可された映像データについては上記映像監視装置へ転送する第４のステップとを含むことを特徴とする。
【発明の効果】
【００２０】
本発明の映像監視システム及びその映像表示方法によれば、送信要求に応じて転送される映像データの表示に関わるセキュリティを確実に維持することができる。
【発明を実施するための最良の形態】
【００２１】
以下、本発明を実施するための最良の形態を、図面を参照しつつさらに具体的に説明する。ここで、添付図面において同一の構成要素には同一の符号を付しており、また、重複した説明は省略されている。なお、ここでの説明は本発明が実施される最良の形態であることから、本発明は当該形態に限定されるものではない。
【００２２】
（Ａ）第１の実施形態
（Ａ−１）第１の実施形態の構成
図１は本発明の第１の実施形態に係る映像監視システムの構成図を示している。
【００２３】
図１に示すように、映像監視システム１０は、映像監視装置１００と、複数（例えば、１６）のカメラ＃１〜＃１６が接続された映像取得装置２００と、情報保持サーバ３００とを有している。これらの装置及びサーバは、ネットワーク機器２１〜２３を介して通信回線３０に接続可能になっている。
【００２４】
映像監視装置１００は、映像取得装置２００に対し映像データの送信要求を行うと共に、その送信要求を受け取った映像取得装置２００から転送されてくる当該送信要求に対する結果としての映像データを表示する。
【００２５】
映像取得装置２００は、例えば、デジタルビデオレコーダであり、複数のカメラ＃１〜＃１６のそれぞれが撮像したカメラ映像をデジタル化し、このデジタル化した映像データを蓄積する。
【００２６】
また、映像取得装置２００は、映像監視装置１００からの映像データの送信要求を受け取ると、映像データの表示許可依頼を情報保持サーバ３００へ送信し、その表示許可依頼を受け取った情報保持サーバ３００から通知される表示許可依頼に対する結果を基に、蓄積した映像データの中から当該する映像データを抽出する。そして、映像取得装置２００は、その抽出した映像データを上記送信要求に対する結果として映像監視装置１００へ転送する。
【００２７】
情報保持サーバ３００は、ユーザに対応する認証用の情報毎に映像データの表示の許可に関する情報が関連付けされている照会用情報（この詳細については後述する）を基に、映像データの表示について許可又は拒否する処理を実行する管理装置として機能する。
【００２８】
すなわち、映像取得装置２００からの映像データの表示許可依頼を受け取ると、照会用情報を基に認証処理を実施し、この認証処理の結果に基づく映像データの表示については許可する旨を、上記表示許可依頼に対する結果として映像取得装置２００へ通知する。
【００２９】
ネットワーク機器２１〜２３は、通信回線３０に接続するためのネットワーク機器である。
【００３０】
通信回線３０は、ネットワークや、専用回線（網）あるいは公衆回線（網）などの通信網を適用することができ、また有線回線、無線回線又はこれらを結合したもののいずれの通信網を適用することができる。また、通信回線３０の通信プロトコルは、特に限定されないが、例えばＴＣＰ／ＩＰプロトコルを適用することができる。
【００３１】
なお、情報保持サーバ３００は拠点Ａに位置し、映像監視装置１００及び映像取得装置２００は拠点Ｂに位置している。
【００３２】
この第１の実施形態においては、拠点Ｂにおいて、複数の映像監視装置及び複数の映像取得装置が配置され、それぞれの装置が通信回線３０に接続されるようにしていても良く、また、拠点Ｂとは異なる１以上の拠点において、１以上の映像監視装置及び１以上の映像取得装置が配置され、それぞれの装置が通信回線３０に接続されるようにしても良い。
【００３３】
図２は映像監視装置１００の機能ブロック図を示している。
【００３４】
映像監視装置１００は、図２に示すように、プログラム記憶部１１０、記憶部１２０、入力部１３０、表示部１４０、制御部１５０及び通信部１６０を有している。
【００３５】
プログラム記憶部１１０は、所定の映像取得装置が蓄積している映像データを当該映像監視装置に表示させる機能（表示処理機能）を制御部１１０などの制御手段に遂行させるための映像表示ソフトウェア（アプリケーションプログラム）、後述する処理手順（図７参照）に対応する処理プログラムを含む所定のプログラムを記憶するものであり、例えばＲＯＭ、ハードディスクなどから構成される。
【００３６】
記憶部１２０は、プログラム記憶部１１０から読み込まれた映像表示ソフトウェアなどの所定のプログラム、映像取得装置２００との送受信のときに授受されるデータ、映像データの表示処理に必要なデータなど各種のデータを記憶するものであり、例えば、ＲＡＭなどから構成される。
【００３７】
入力部１３０は、マンマシンインタフェースの機能を司り、例えば、映像データの送信要求の指示、表示対象の映像データに関する撮像日時やカメラ番号の指定、認証用の情報（以下、認証用情報という）の入力など、各種の入力情報や指示を与えるものであり、例えば、キーボードやマウスから構成される。
【００３８】
ここで、認証用情報とは、ユーザに対応する例えばパスワード、ユーザＩＤ、又はこれらを組み合わせた情報など、当該ユーザを識別（あるいは特定）するための情報のことである。
【００３９】
表示部１４０は、映像取得装置２００から転送されてきた映像データなど所定の表示情報を表示するものであり、例えばディスプレイから構成される。
【００４０】
制御部１５０は、映像監視装置１００全体の制御機能を司るものであり、例えば、プロセッサ、ＣＰＵなどの制御手段から構成される。例えば、制御部１５０は、プログラム記憶部１１０から記憶部１２０へ映像表示ソフトウェアを読み込んで実行することにより、映像データの表示処理を実行する。
【００４１】
また、制御部１５０は、ユーザにより入力される認証用情報、当該映像監視装置１００を識別する識別情報、及び映像データの送信要求を映像取得装置２００へ送信する映像データ送信要求部１５１を有している。映像データ送信要求部１５１は、上記各情報を、通信部１６０を通じて映像取得装置２００へ送信する。
【００４２】
ここで、映像監視装置１００を識別する識別情報は、映像監視装置１００固有の識別情報であり、例えばＩＰ（インターネットプロトコル）アドレスである。
【００４３】
通信部１６０は、所定の通信方式に従って、通信回線３０を通じて映像取得装置２００との間で情報を送受信する。例えば、通信部１６０は、制御部１５０の制御の下、映像データ送信要求部１５１からの送信依頼により、入力部１３０により入力された映像データの送信要求や認証用情報、及び当該映像監視装置１００に固有の識別情報を、通信回線３０を通じて映像取得装置２００へ送信し、また、通信回線３０を通じて映像取得装置２００から送信された上記送信要求に対する結果を受信し、これを制御部１５０へ渡す。
【００４４】
ここで、映像データの送信要求に対する結果が表示許可された映像データであると制御部１５０が判断すると、制御部１５０は、その映像データを表示部１４０に表示させる制御を行う。
【００４５】
図３は映像取得装置２００の機能ブロック図を示している。
【００４６】
映像取得装置２００は、図３に示すように、映像処理部２１０、ファイル生成部２２０、蓄積部２３０、記憶部２４０、制御部２５０及び通信部２６０を有している。
【００４７】
映像処理部２１０は、複数のカメラ＃１〜＃１６が撮像したカメラ映像に基づく映像信号を受け取り、受信した映像信号を所定の符号化処理に従って映像データに変換し、この変換した映像データに対して所定の映像処理を行う。また、映像処理部２１０は、映像処理を施した映像データをファイル生成部２２０に与える。
【００４８】
ファイル生成部２２０は、映像処理部２１０から複数のカメラ＃１〜＃１６のそれぞれの映像データを受け取り、所定の変換方式に従って、複数のカメラ＃１〜＃１６のそれぞれの映像データを転送用ファイルに変換する。このとき、ファイル生成部２２０は、例えば、カメラ別、撮像日時別などで、映像データをファイル化する。これにより、カメラ毎のカメラ映像をファイル化することができる。又はイル生成部２２０は、複数のカメラ＃１〜＃１６に対応する複数の映像ファイルを蓄積部２３０に与えて蓄積させる。
【００４９】
蓄積部２３０は、ファイル生成部２２０から与えられた複数のカメラ＃１〜＃１６に対応する複数の転送用ファイルを蓄積するものであり、例えば、ハードディスクから構成される。ここで、蓄積部２３０は、例えば、ファイル生成部２２０から受け取った順に映像ファイルを蓄積するようにしても良く、又はカメラ毎に記憶領域を設け、カメラ別に映像ファイルを蓄積するようにしても良い。
【００５０】
ここで、本実施形態では、蓄積部２３０には、映像データは、例えば、図４に示すファイル構成にて蓄積されるようになっている。一般にファイル名には、ファイルを検索し易いように、例えば撮像年月日、カメラＩＤ、撮像時刻などが使用される。
【００５１】
図４において、符号２３０−１で示される領域、符号２３０−２で示される領域及び符号２３０−１６で示される領域には、それぞれカメラ＃１、カメラ＃２及びカメラ＃１６による撮像に関わる映像データに関するファイル名が登録される。そして、これらのファイル名に対応して実体である映像ファイル（映像データ）が蓄積部２３０に蓄積される。このように、蓄積部２３０には、カメラ毎に映像ファイル（映像データ）が蓄積されるようになっている。
【００５２】
符号２３０−１で示される領域において、「￥年月日￥カメラＩＤ−開始時刻−終了時刻」はファイル名の項目を示している。具体的には、例えば「￥０１０１０１￥０１−１０１５−１０２５」などがファイル名である。そのファイル名を参照することで、ファイルの時系列を識別することが可能になっている。
【００５３】
なお、図４においては、各符号２３０−１、２３０−２、２３０−１６で示される領域において、最上部のファイル名から最下部のファイル名の順に、ファイルが新しくなっている。
【００５４】
再度、図３を参照して説明する。記憶部２４０は、後述する処理手順（図８参照）に対応する処理プログラムを含む所定のプログラムを記憶する第１の記憶部と、映像監視装置１００及び情報保持サーバ３００のそれぞれとの送受信のときに授受されるデータ、映像データの表示の許可依頼のときに必要なデータなど一時的なデータを記憶する第２の記憶部とを有している。上記第１の記憶部は、例えばＲＯＭやハードディスクなどから構成され、一方、上記第２の記憶部は、例えばＲＡＭ、フラッシュメモリなどから構成される。
【００５５】
制御部２５０は、映像取得装置２００全体の制御機能を司るものであり、例えば、プロセッサ、ＣＰＵなどの制御手段から構成される。また、制御部２５０は、表示許可依頼部２５１及び転送部２５２を有している。
【００５６】
表示許可依頼部２５１は、映像監視装置１００（の映像データ送信要求部１５１）から送信された送信情報を受信したときは、受信したパスワード及び映像監視装置１００に固有の識別情報と共に映像データの表示の許可依頼を情報保持サーバ３００へ送信する。このとき、表示許可依頼部２５１は、上記各情報を、通信部２６０を通じて情報保持サーバ３００へ送信する。
【００５７】
転送部２５２は、情報保持サーバ３００から通知され、ユーザに対応する権限情報に基づく映像データの表示については許可する旨を受信したときは、その表示許可された映像データについては映像監視装置１００へ転送する。このとき、転送部２５２は、表示許可された映像データ（映像ファイル）を蓄積部２３０から読み出すと共に、この読み出した映像データ（映像ファイル）を、通信部２６０を通じて映像監視装置１００へ転送する。
【００５８】
この第１の実施形態では、制御部２５０は、記憶部２４０内の第１の記憶部から第２の記憶部へ処理プログラムを読み込んで実行することにより、上述した表示許可依頼部２５１及び転送部２５２の機能を含む映像取得装置２００の機能を実現させる。
【００５９】
映像取得装置２００の主な機能は、映像データの一時蓄積機能、映像監視装置からの映像データの送信要求を受けたときに、映像データの表示許可を依頼する機能（表示許可依頼部２５１の機能）及び表示許可された映像データを転送する機能（転送部２５２の機能）がある。
【００６０】
通信部２６０は、所定の通信方式に従って、通信回線３０を通じて映像監視装置１００及び情報保持サーバ３００のそれぞれと情報を送受信する。
【００６１】
例えば、通信部２６０は、通信回線３０を通じて映像監視装置１００から送信された信号を受信すると、この受信信号を制御部２５０に与える。ここで、受信信号が、映像データの送信要求であると制御部２５０が判断すると、通信部２６０は、制御部２５０の制御の下、表示許可依頼部２５１からの上記各情報を、通信回線３０を介して情報保持サーバ３００へ送信する。
【００６２】
また、通信部２６０は、通信回線３０を通じて情報保持サーバ３００から送信された信号を受信すると、この受信信号を制御部２５０に与える。ここで、受信信号が、映像データの表示について許可する旨であると制御部２５０が判断すると、通信部２６０は、制御部２５０の制御の下、転送部２５２からの映像データ（映像ファイル）を通信回線３０を介して映像監視装置１００へ送信する。
【００６３】
図５は情報保持サーバ３００の機能ブロック図を示している。
【００６４】
情報保持サーバ（管理装置）３００は、図５に示すように、制御部３１０、記憶部３２０、記憶部３３０及び通信部３４０を有している。
【００６５】
記憶部３２０は、映像取得装置２００から映像データの表示の許可依頼があったときに参照される照会用情報３２０Ａ（図６参照）を予め記憶するものであり、例えば、ＥＥＰＲＯＭやフラッシュメモリなど不揮発性メモリ、ハードディスクなどから構成される。
【００６６】
照会用情報３２０Ａは、図６に示すように、ユーザに対応する認証用情報３２１と、映像データの表示に関する権限情報３２２と、映像監視装置を識別する識別情報３２３とが対応付けされた情報である。
【００６７】
認証用情報３２１は、ユーザに対応する例えばパスワード、ユーザＩＤ、又はこれらを組み合わせた情報など、当該ユーザを識別（あるいは特定）するための情報である。以下、本明細書においては、認証用情報はパスワードとして説明する。
【００６８】
権限情報３２２は、映像データの表示を許可する当該映像データの撮像に関わるカメラを示すカメラ情報（例えば、カメラＩＤ）であり、映像データの表示の許可に関する情報である。権限情報３２２に記載されているカメラ情報（例えば、カメラＩＤ）に基づくカメラのカメラ映像に対応する映像データのみが表示可能となる。勿論、場合によっては表示拒否を意味する権限情報も有り得る。
【００６９】
映像監視装置を識別する識別情報３２３は、ＩＰアドレスなど映像監視装置固有の識別情報である。第１の実施形態では、映像監視装置固有の識別情報はＩＰアドレスとする。
【００７０】
なお、１つの映像監視装置を複数のユーザが使用する場合は、当該複数のユーザに対応する複数のパスワードに対応して同一のＩＰアドレス（映像監視装置固有の識別情報）が登録されることになる。
【００７１】
そのため、１つの映像監視装置を複数のユーザが使用する場合も考慮して、認証用情報は、パスワード及びユーザＩＤとすれば、より一層、セキュリティを確保することができる。この場合、映像監視装置１００を利用するユーザはパスワード及びユーザＩＤを入力することになる。
【００７２】
上述したような照会用情報は、複数の映像取得装置のそれぞれを示す情報と対応付けされて記憶される。従って、映像取得装置毎に照会用情報の内容が異なっている場合もあるし、任意の複数の映像取得装置については照会用情報の内容が同一の場合もある。
【００７３】
再度、図５を参照して説明する。記憶部３３０は、後述する処理手順（図９参照）に対応する処理プログラムを含む所定のプログラムを記憶する第１の記憶部と、映像取得装置２００との送受信のときに授受されるデータ、認証処理、及び映像データの表示の許可に関する処理のときに必要なデータなど一時的なデータを記憶する第２の記憶部とを有している。上記第１の記憶部は、例えばＲＯＭやハードディスクなどから構成され、一方、上記第２の記憶部は、例えばＲＡＭ、フラッシュメモリなどから構成される。
【００７４】
制御部３１０は、情報保持サーバ３００全体の制御機能を司るものであり、例えば、プロセッサ、ＣＰＵ、ＬＳＩなどの制御手段から構成される。また、制御部３１０は、認証部３１１及び映像データ表示許可部３１２を有している。
【００７５】
認証部３１１は、映像取得装置２００（の表示許可依頼部２５１）から送信された送信情報を受信したときは、受信した認証用情報及び映像監視装置固有の識別情報と記憶部３２０の記憶内容とを基に当該認証用情報に対応するユーザは正当なユーザであることを認証する。認証部３１１は、正当なユーザであることを認証した場合は、その旨を映像データ表示許可部３１２へ通知する。
【００７６】
映像データ表示許可部３１２は、認証部３１１が正当なユーザであると認証した場合は、当該ユーザに対応する権限情報（カメラ情報）に基づく映像データの表示については許可する旨を映像取得装置２００へ通知する。
【００７７】
第１の実施形態では、制御部３１０は、記憶部３３０内の第１の記憶部から第２の記憶部へ処理プログラムを読み込んで実行することにより、上述した認証部３１１及び映像データ表示許可部３１２の機能を含む情報保持サーバ３００の機能を実現させる。
【００７８】
通信部３４０は、所定の通信方式に従って、通信回線３０を通じて映像取得装置２００と情報を送受信する。
【００７９】
例えば、通信部３４０は、通信回線３０を通じて映像取得装置１００から送信された映像データの表示の許可依頼を受信すると、この受信信号を制御部２５０に与える。また、通信部３４０は当該映像データの表示の許可依頼に対する結果例えば映像データの表示について許可する旨の送信情報を制御部３１０から渡されると、通信部３４０は、制御部３１０の制御の下、その送信情報を、通信回線３０を介して映像取得装置２００へ送信する。
【００８０】
（Ａ−２）第１の実施形態の動作
次に、映像監視装置１００、映像取得装置２００及び情報保持サーバ３００のそれぞれの処理について、図面を参照して説明する。
【００８１】
ここでは、映像監視装置１００を利用するユーザのパスワードはパスワード“Ｂ”であり、映像監視装置１００固有の識別情報は第２のＩＰアドレスであり、情報保持サーバ３００の記憶部３２０に記憶される映像取得装置２００に対応する照会用情報は図６に示す照会用情報３２０Ａであるものとする。
【００８２】
最初に、映像監視装置の処理について、図７を参照して説明する。図７は映像監視装置１００の処理の処理手順を示すフローチャートを示している。
【００８３】
図７に示すように、映像監視装置１００では、ユーザによって所定のパスワード（例えば、パスワード“Ｂ”）の入力及び映像データの送信要求が指示されると（ステップＳ１０１、Ｓ１０２）、制御部１５０の映像データ送信要求部１５１は、入力された所定のパスワード（パスワード“Ｂ”）及び映像データの送信要求と当該映像監視装置１００固有の識別情報（例えば、第２のＩＰアドレス）を、通信部１６０を通じて映像取得装置２００へ送信する（ステップＳ１０３）。
【００８４】
次に、制御部１５０は、通信部１６０を通じて映像データの送信要求に対する結果を受信したか否かを判断し（ステップＳ１０４）、この判断した結果、その結果を受信していない場合にはその結果を受信するまで待機し、一方、映像データの送信要求に対する結果を受信した場合は、その結果は認証エラーを示す旨であるか否かを判断する（ステップＳ１０５）。
【００８５】
ステップＳ１０５において認証エラーを示す旨ではないと判断した制御部１５０は、通信部１６０を通じて受信した映像データを表示部１４０に表示させる表示処理を実行する（ステップＳ１０６）。
【００８６】
一方、ステップＳ１０５において認証エラーを示す旨であると判断した制御部１５０は、例えばエラーメッセージを表示部１４０に表示させる表示処理を実行する（ステップＳ１０７）。
【００８７】
次に、映像取得装置の処理について、図８を参照して説明する。図８は映像取得装置２００の処理の処理手順を示すフローチャートを示している。
【００８８】
図８に示すように、映像取得装置２００では、制御部２５０は、通信部２６０を通じて映像監視装置１００からの映像データの送信要求を受信したか否かを判断し（ステップＳ１１１）、この判断した結果、その送信要求を受信していない場合には、その送信要求を受信するまで待機する。
【００８９】
一方、ステップＳ１１１において映像データの送信要求を受信したと判断した制御部２５０では、表示許可依頼部２５１が、受信したパスワード（パスワード“Ｂ”）、映像監視装置１００固有の識別情報（第２のＩＰアドレス）、及び当該映像取得装置に関する情報を、通信部２６０を通じて情報保持サーバ３００へ送信する（ステップＳ１１２）。
【００９０】
次に、制御部２５０は、通信部２６０を通じて表示許可依頼に対する結果を受信したか否かを判断し（ステップＳ１１３）、この判断した結果、その結果を受信していない場合にはその結果を受信するまで待機し、一方、表示許可依頼に対する結果を受信した場合は、その結果は表示許可する旨であるか否かを判断する（ステップＳ１１４）。
【００９１】
ステップＳ１１４において表示許可依頼に対する結果は表示許可する旨であると判断した制御部２５０では、転送部２５２は、表示許可された映像データ（映像ファイル）を蓄積部２３０から読み出し（ステップＳ１１５）、この読み出した映像データ（映像ファイル）を、通信部２６０を通じて映像監視装置１００へ転送する（ステップＳ１１６）。
【００９２】
一方、ステップＳ１１５において表示許可依頼に対する結果は表示許可する旨ではないと判断した制御部２５０は、認証エラーである旨を、通信部２６０を通じて映像監視装置１００へ送信する（ステップＳ１１７）。
【００９３】
次に、情報保持サーバの処理について、図９を参照して説明する。図９は情報保持サーバ３００の処理の処理手順を示すフローチャートを示している。
【００９４】
図９に示すように、情報保持サーバ３００では、制御部３１０は、通信部３４０を通じて映像取得装置２００からの映像データの表示許可依頼を受信したか否かを判断し（ステップＳ１２１）、この判断した結果、その表示許可依頼を受信していない場合にはその表示許可依頼を受信するまで待機する。
【００９５】
一方、ステップＳ１２１において映像データの表示許可依頼を受信したと判断した制御部３１０では、認証部３１１は、取得したパスワード（パスワード“Ｂ”）、映像監視装置１００固有の識別情報（第２のＩＰアドレス）と、取得した映像取得装置に関する情報に対応する照会用情報３２０Ａ（図６参照）とに基づき認証処理を実行する（ステップＳ１２２）。
【００９６】
認証部３１１は、上記認証処理の結果、今回の表示許可依頼に関わるユーザは正当なユーザであるかを認証、すなわち、取得したパスワード“Ｂ”及び第２のＩＰアドレスと一致するものが照会用情報３２０Ａに登録されているか否かを判断する（ステップＳ１２３）。
【００９７】
ここで、パスワード“Ｂ”及び第２のＩＰアドレスと一致するものが、照会用情報３２０Ａに登録されている場合は、今回の表示許可依頼に関わるユーザは正当なユーザであると認証される。
【００９８】
さて、ステップＳ１２３において、パスワード及びＩＰアドレスと一致するものが照会用情報に登録されているので、正当なユーザであることを認証した認証部３１１は、その旨を映像データ表示許可部３１２へ通知する。例えば、該当するパスワード、又は、パスワード及びＩＰアドレスが映像データ表示許可部３１２へ通知される。
【００９９】
映像データ表示許可部３１２は、認証部３１１から通知された情報を基に、照会用情報から当該ユーザに対応する権限情報（カメラ情報）を抽出し、この抽出した権限情報（カメラ情報）に基づく映像データの表示については許可する旨を、通信部３４０を通じて映像取得装置２００へ通知する（ステップＳ１２４）。
【０１００】
具体的には、パスワード“Ｂ”及び第２のＩＰアドレスに対応して登録されている権限情報（カメラ情報）、例えばカメラ＃１〜＃５、＃７、＃１０、＃１２〜＃１６のそれぞれのカメラを示す識別情報（以下、カメラＩＤという）が映像取得装置２００へ通知される。
【０１０１】
そして、映像取得装置２００では、受信したカメラＩＤの情報に対応する映像データ（映像ファイル）を、蓄積部２３０から読み出して、これを映像監視装置１００へ転送することになる。
【０１０２】
ところで、ステップＳ１２３において、パスワード及びＩＰアドレスと一致するものが照会用情報に登録されていないので、不正なユーザであると認証部３１１が判断すると、制御部３１０は、認証エラーを示す旨を、通信部３４０を通じて映像取得装置２００へ通知する（ステップＳ１２５）。
【０１０３】
次に、上述した映像監視システム１０の処理について、図面を参照して説明する。
【０１０４】
図１０は映像監視システム１０による映像表示処理動作を示すシーケンス図を示し、図１１は映像監視システム１０による映像表示処理の流れを説明する図を示している。
【０１０５】
図１０に示すように、映像監視システム１０では、映像監視装置１００は、ユーザによるパスワード（例えば、パスワード“Ｂ”）の入力があると（Ｓ１３１）、この入力されたパスワード（パスワード“Ｂ”）を映像取得装置２００へ送信（送付）する（図１１のＳ１４１参照）。
【０１０６】
このとき、映像監視装置１００は、入力されたパスワード（パスワード“Ｂ”）、当該映像監視装置固有の識別情報（映像監視装置識別情報）例えばＩＰアドレス（第２のＩＰアドレス）と共に映像データの送信要求を映像取得装置２００へ送信する（Ｓ１３２、図１１のＳ１４２参照）。
【０１０７】
映像取得装置２００は、映像監視装置１００から送信された情報を受信すると、その受信情報を基にパスワード認証の問い合わせ（つまり映像データの表示許可依頼）を行う（図１１のＳ１４３参照）。
【０１０８】
すなわち、映像取得装置２００は、取得したパスワード（パスワード“Ｂ”）、取得したパスワード送付電文内から抽出した映像監視装置識別情報（第２のＩＰアドレス）、及び当該映像取得装置に関する情報（映像取得装置情報）と共に映像データの表示許可依頼（パスワード認証の問い合わせ）を、情報保持サーバ３００へ送信する（Ｓ１３３、図１１のＳ１４４参照）。
【０１０９】
情報保持サーバ３００は、映像取得装置２００から送信された情報を受信すると、その受信情報（パスワード、映像監視装識別情報及び映像取得装置情報）を基に、パスワード認証を実施する（Ｓ１３４、図１１のＳ１４５参照）。
【０１１０】
このパスワード認証においては、取得したパスワード、映像監視装置識別情報及び映像取得装置情報と、記憶部３２０に記憶されている照会用情報とが照合される。
【０１１１】
すなわち、情報保持サーバ３００は、取得した映像取得装置情報に対応する照会用情報が記憶装置３２０に存在するかを調査し、その調査の結果、該当する照会用情報が存在する場合は、取得した映像取得装置情報に対応する照会用情報（例えば図６の照会用情報３２０Ａ）内に、取得したパスワード及び映像監視装置識別情報と一致するものが登録されているかを確認する。
【０１１２】
そして、情報保持サーバ３００は、照会用情報３２０Ａの中から、一致するパスワード（パスワード“Ｂ”）及び映像監視装置識別情報（第２のＩＰアドレス）に対応して、割り当てられている権限情報（カメラ情報）を抽出する。この場合は、カメラ＃１〜＃５、＃７、＃１０、＃１２〜＃１６のカメラ情報が抽出される。
【０１１３】
なお、一致するパスワード及び映像監視装置識別情報が登録されていると確認された場合は、当該パスワードを入力したユーザは、正当なユーザであることを認証（ユーザ認証）されることになる。
【０１１４】
次に、以上のようにしてユーザ認証した情報保持サーバ３００は、照会用情報から抽出したカメラ情報に基づく映像データについては表示許可する旨（割り当てられたカメラのみ表示許可する旨）を、映像データの表示許可依頼に対する結果として映像取得装置２００へ送信する（Ｓ１３５、図１１のＳ１４６参照）。
【０１１５】
映像取得装置２００は、情報保持サーバ３００から送信されたカメラ情報を受信し、そのカメラ情報に基づく映像データについては表示許可（カメラ表示許可）であると認識すると（図１１のＳ１４７参照）、該当する映像データ（映像ファイル）を蓄積部２３０から抽出し（Ｓ１３６）、この抽出した映像データ（映像ファイル）を、映像データの送信要求に対する結果として映像監視装置１００へ転送する（Ｓ１３７、図１１のＳ１４８参照）。
【０１１６】
そして、映像監視装置１００は、映像取得装置２００から転送されてきた映像データ（映像ファイル）を、表示部１４０に表示する（Ｓ１３８、図１１のＳ１４９参照）。
【０１１７】
なお、第１の実施形態では、映像取得装置２００は、通信回線３０を介して映像監視装置１００及び情報保持サーバ３００のそれぞれと接続可能な構成としているが、本発明はこれに限定されることなく、映像取得装置２００は、映像監視装置１００及び情報保持サーバ３００のそれぞれとは、それぞれの通信回線を介して接続可能な構成とするようにしても良い。
【０１１８】
（Ａ−３）第１の実施形態の効果
以上説明したように、第１の実施形態によれば、ユーザ入力されるパスワード及びユーザ操作される映像監視装置の固有の識別情報が、情報保持サーバに記憶される照会用情報に登録されている場合のみ、当該正規の映像監視装置に対し、当該パスワード及び映像監視装置固有の識別情報に対応する権限情報（カメラ情報）に基づく映像データの表示については許可するようにしているので、当該正規の映像監視装置は、表示許可された映像データ（画像）を表示することができる。
【０１１９】
そのため、情報保持サーバ内の照会用情報に映像監視装置固有の識別情報が登録されていない不当な映像監視装置に対しては、映像データの表示については許可されないので、例えば、パスワードが漏洩されたとしても、正規の映像監視装置のみが映像表示（画像表示）が可能となり、映像表示に関わるセキュリティを確実に維持することができる。
【０１２０】
（Ｂ）第２の実施形態
（Ｂ−１）第２の実施形態の構成
第２の実施形態に係る映像監視システムは、第１の実施形態の映像監視システムとは、基本的には構成及び機能は同様であるものの、一部相違する点がある。次に、その相違点について説明する。
【０１２１】
図１２は第２の実施形態に係る映像監視システム５０の構成図を示している。
【０１２２】
この映像監視システム５０は、図１に示した第１の実施形態に係る映像監視システム１０の構成において、電話装置４１０、４２０及び電話回線４３０を追加した構成になっている。なお、図１２において、図１に示した構成要素と同様の機能を果たす部分には同一の符号を付している。
【０１２３】
図１２に示すように、拠点Ｂに配置される電話装置４１０と拠点Ａに配置される電話装置４２０とは、電話回線４３０を介して接続され、通話が可能となる。
【０１２４】
第２の実施形態では、電話装置４１０と電話装置４２０との通話により、拠点Ｂにおける映像監視装置１００を操作するユーザが、拠点Ａにおける情報保持サーバ３００を管理する管理者に対し権限情報（カメラ情報）の変更を依頼し、管理者がその変更依頼に応じて照会用情報の権限情報（カメラ情報）を変更するようにしている。そして、情報保持サーバ３００は変更後の照会用情報を基にユーザ認証の処理を実施する。
【０１２５】
映像監視装置１００は、図２に示した第１の実施形態の映像監視装置１００と同様の機能構成を有しているので、ここではその説明は省略する。なお、第２の実施形態では、映像監視装置１００の固有の識別情報、例えば、ＩＰアドレスは第３のＩＰアドレスであるとする。
【０１２６】
図１３は情報保持サーバ３００の機能ブロック図を示している。
【０１２７】
この情報保持サーバ３００は、図５に示した第１の実施形態の情報保持サーバ３００の機能構成において、制御部３１０内に変更部３１３を追加し、また、映像データ表示許可部３１２及び記憶部３３０の機能を変更した機能構成になっている。なお、図１３において、図５に示した構成要素と同様の機能を果たす部分には同一の符号を付している。
【０１２８】
第２の実施形態においては、当該情報保持サーバ３００の管理者は、映像監視装置を利用するユーザより権限情報（カメラ情報）の変更依頼を受けて、該当する照会用情報内の権限情報（カメラ情報）の変更操作を行う。これ以降は、説明の都合上、権限情報をカメラ情報として説明する。
【０１２９】
この場合、管理者は、情報保持サーバ３００とはローカル接続された端末（表示装置及び入力装置などを有する端末）、又は、情報保持サーバ３００に設けられる表示装置及び入力装置を操作して、変更情報を入力することになる。
【０１３０】
例えば、情報保持サーバ３００とはローカル接続された端末の表示装置に表示される、カメラ情報変更領域と変更指示領域とを有する照会用情報設定画面を使用して変更情報を入力する。
【０１３１】
具体的には、カメラ情報変更領域に、図６に示す照会用情報における変更依頼のあったユーザのパスワードに対応するカメラ情報を、その依頼内容に応じて変更する。また、変更指示領域において、例えば「変更指示する旨」を選択する。
【０１３２】
このようにして変更設定された照会用情報設定画面の設定内容は、情報保持サーバ３００の制御部３１０に入力されるようになっている。
【０１３３】
さて、記憶部３３０には、照会用情報内のカメラ情報が変更されるときに、変更前のカメラ情報が退避情報として一時的に記憶されるようになっている。
【０１３４】
変更部３１３は、当該情報保持サーバ３００の管理者により入力されるカメラ情報に関する変更情報を基に、記憶部３２０に記憶されている照会用情報内のカメラ情報を変更する。このとき、変更前のカメラ情報は退避情報として記憶部３３０に一時的に保存される。
【０１３５】
ここで、図６に示した変更前の照会用情報３２０Ａの所定のカメラ情報が変更された場合の変更後の照会用情報の一例を、図１４に示す。
【０１３６】
図１４においては、パスワード“Ｃ”のユーザからのカメラ情報の変更依頼に応じて管理者によって、「カメラ＃１〜＃３のみの表示」が「全カメラ表示」に変更操作され、変更部３１３によって、その変更操作内容を基にパスワード“Ｃ”に対応するカメラ情報が変更された状態を示している。
【０１３７】
従って、パスワード“Ｃ”に対しては、変更後の照会用情報３２０Ａを基に、全カメラ（カメラ＃１〜＃１６）による撮像に関わる映像データの表示について許可されることになる。
【０１３８】
映像データ表示許可部３１２は、変更部３１３によって変更された変更後のカメラ情報に基づく映像データの表示については許可する旨を映像取得装置２００へ通知したときは、所定のタイミングで、変更後のカメラ情報を変更前のカメラ情報に書き戻す処理を実施する。この書き戻す処理のときは、映像データ表示許可部３１２は、記憶部３３０に一時的に保存されている退避情報（変更前のカメラ情報）を、変更後のカメラ情報の登録領域に上書きすることになる。
【０１３９】
なお、書き戻す処理を実施するための上記所定のタイミングとしては、映像取得装置２００から通知される映像データの表示完了を示す旨を受信した時点が挙げられる。
【０１４０】
このようにして書き戻す処理が実施されると、照会用情報３２０Ａは、図１４に示す内容から図６に示す内容に変更されることとなる。
【０１４１】
図１５は映像取得装置２００の機能ブロック図を示している。図１５に示した映像取得装置２００は、図３に示した第１の実施形態の映像取得置２００の機能構成において、制御部２５０内に表示完了通知部２５３を追加した機能構成になっている。なお、図１５において、図３に示した構成要素と同様の機能を果たす部分には同一の符号を付している。
【０１４２】
表示完了通知部２５３は、制御部２５０が、情報保持サーバ３００から通知され、変更後の照会用情報内の変更後のカメラ情報に基づく映像データの表示については許可する旨を受信したことに起因して、転送部２５２が当該表示許可された映像データを映像監視装置１００へ転送したときは、映像データの表示完了を示す旨を情報保持サーバ３００へ通知する。
【０１４３】
（Ｂ−２）第２の実施形態の動作
最初に、電話装置４１０と電話装置４２０との通話により、拠点Ｂに存在し映像監視装置１００を利用するユーザは、拠点Ａに存在する管理者に対し、当該ユーザ（のパスワード）に関わる権限情報（カメラ情報）の変更を依頼する。
【０１４４】
ここでは、パスワードはパスワード“Ｃ”であるとし、映像監視装置１００固有の識別情報であるＩＰアドレスは上述したように第３のＩＰアドレスであるとする。
【０１４５】
映像監視装置１００の処理は、図７に示した第１の実施形態の映像監視装置１００の処理動作と同様なので、ここではその説明は省略する。
【０１４６】
映像取得装置の処理について、図１６を参照して説明する。図１６は映像取得装置２００の処理の処理手順を示すフローチャートを示している。
【０１４７】
図１６に示すように、映像取得装置２００は、図８に示した第１の実施形態のステップＳ１１１〜Ｓ１１６と同様の処理を実行する（ステップＳ２１１〜Ｓ２１６）。
【０１４８】
その後、映像取得装置２００の制御部２５０では、表示完了通知部２５３は、転送部２５２が表示許可された全ての映像データを映像監視装置１００へ転送したときは、映像データの表示完了を示す旨を、通信部２６０を通じて情報保持サーバ３００へ通知する（ステップＳ２１７）。
【０１４９】
なお、ステップＳ２１４において、表示許可依頼に対する結果が表示許可する旨ではない場合、つまり認証エラーの場合、制御部２５０は、認証エラーである旨を、通信部２６０を通じて映像監視装置１００へ送信する（ステップＳ２１８）。
【０１５０】
次に、情報保持サーバの処理について、図１７を参照して説明する。図１７は情報保持サーバ３００の処理の処理手順を示すフローチャートを示している。
【０１５１】
図１７に示すように、当該情報保持サーバ３００の管理者は、映像監視装置を利用するユーザよりカメラ情報の変更依頼を受けて、該当する例えば照会用情報３２０Ａ内のカメラ情報の変更操作を行う（ステップＳ２２１）。
【０１５２】
ユーザにより変更設定される、例えば、照会用情報設定画面の設定内容が、情報保持サーバ３００の制御部３１０に入力されるので、制御部３１０では、その設定内容を基にカメラ情報の変更指示があるか否かを判断し（ステップＳ２２２）、この判断した結果、その変更指示がない場合はその変更指示があるまで待機する。
【０１５３】
ステップＳ２２２においてカメラ情報の変更指示があると判断した制御部３１０では、変更部３１３は、上記設定内容を基、該当する照会用情報３２０Ａ内のパスワード（例えばパスワード“Ｃ”）に対応する変更対象のカメラ情報つまり「カメラ＃１〜＃３のみ表示」を、退避情報として記憶部３３０に一時保存する（ステップＳ２２３）。
【０１５４】
次に、変更部３１３は、変更情報例えば「全カメラ表示」に基づき、変更対象のカメラ情報を変更する（ステップＳ２２４）。これにより、照会用情報３２０Ａは、図６に示す内容から図１４に示す内容に変更されることとなる。
【０１５５】
このようにして変更部３１３による照会用情報の変更処理が終了すると、制御部３１０は、通信部３４０を通じて映像取得装置２００からの映像データの表示許可依頼を受信したか否かを判断し（ステップＳ２２５）、この判断した結果、その表示許可依頼を受信していない場合はその表示許可依頼を受信するまで待機する。
【０１５６】
ステップＳ２２５において映像データの表示許可依頼を受信したと判断した制御部３１０では、認証部３１１は、取得したパスワード（パスワード“Ｃ”）、映像監視装置１００固有の識別情報（第３のＩＰアドレス）と、取得した映像取得装置に関する情報に対応する照会用情報３２０Ａ（図１４参照）とに基づき認証処理を実行する（ステップＳ２２６）。
【０１５７】
認証部３１１は、上記認証処理の結果、今回の表示許可依頼に関わるユーザは正当なユーザであるかを認証、すなわち、取得したパスワード“Ｃ”及び第３のＩＰアドレスと一致するものが照会用情報３２０Ａに登録されているか否かを判断する（ステップＳ２２７）。
【０１５８】
ここで、パスワード“Ｃ”及び第３のＩＰアドレスと一致するものが、照会用情報３２０Ａに登録されている場合は、今回の表示許可依頼に関わるユーザは正当なユーザであると認証される。
【０１５９】
さて、ステップＳ２２７において、パスワード及びＩＰアドレスと一致するものが照会用情報に登録されているので、正当なユーザであることを認証した認証部３１１は、その旨を映像データ表示許可部３１２へ通知する。例えば、該当するパスワード、又は、パスワード及びＩＰアドレスが映像データ表示許可部３１２へ通知される。
【０１６０】
映像データ表示許可部３１２は、認証部３１１から通知された情報を基に、照会用情報から当該ユーザに対応するカメラ情報を抽出し、この抽出したカメラ情報に基づく映像データの表示については許可する旨を、通信部３４０を通じて映像取得装置２００へ通知する（ステップＳ２２８）。
【０１６１】
具体的には、パスワード“Ｃ”及び第３のＩＰアドレスに対応して登録されているカメラ情報すなわち全カメラ表示（カメラ＃１〜＃１６のそれぞれに対応するカメラＩＤ）が映像取得装置２００へ通知される。
【０１６２】
そして、映像取得装置２００では、受信したカメラＩＤ（カメラ＃１〜＃１６のそれぞれに対応するカメラＩＤ）の情報に対応する映像データ（映像ファイル）を、蓄積部２３０から読み出して、これを映像監視装置１００へ転送することになる。
【０１６３】
ところで、映像データ表示許可部３１２は、カメラ情報に基づく映像データの表示については許可する旨を、通信部３４０を通じて映像取得装置２００へ通知した後は、通信部３４０を通じて映像取得装置２００から表示完了を示す旨を受信したか否かを判断し（ステップＳ２２９）、この判断した結果、その表示完了を示す旨を受信していない場合は、その表示完了を示す旨を受信するまで待機する。
【０１６４】
ステップＳ２２９において表示完了を示す旨を受信したと判断した映像データ表示許可部３１２は、記憶部３３０に一時的に退避されている退避情報を基に、照会用情報３２０Ａにおける変更後のカメラ情報を変更前のカメラ情報に書き戻す（ステップＳ２３０）。これにより、照会用情報３２０Ａは、図１４に示す内容（一時的な表示許可情報の内容）から図６に示す内容（正規の表示許可情報の内容）に変更されることとなる。
【０１６５】
ところで、ステップＳ２２７において、パスワード及びＩＰアドレスと一致するものが照会用情報に登録されていないので、不正なユーザであると認証部３１１が判断すると、制御部３１０は、認証エラーを示す旨を、通信部３４０を通じて映像取得装置２００へ通知する（ステップＳ２３１）。
【０１６６】
次に、上述した映像監視システム５０の処理について、図面を参照して説明する。
【０１６７】
図１８は映像監視システム５０による映像表示処理動作を示すシーケンス図を示し、図１９は映像監視システム５０による映像表示処理の流れを説明する図を示している。
【０１６８】
図１８に示すように、映像監視システム５０においては、電話装置４１０と電話装置４２０との通話により、拠点Ｂにおける映像監視装置１００を操作するユーザが、拠点Ａにおける情報保持サーバ３００を管理する管理者に対しカメラ情報の変更を依頼（例えば、全カメラ表示の依頼）すると（Ｓ２４１、図１９のＳ２６１参照）、管理者は、その変更依頼に応じて、照会用情報のカメラ情報を変更する操作（一時許可操作）を行う（図１９のＳ２６２参照）。
【０１６９】
すると、情報保持サーバ３００では、一時許可操作によるカメラ情報の変更情報に基づいて該当する照会用情報の権限情報（カメラ情報）の変更処理を行う（Ｓ２４２、図１９のＳ２６３参照）。
【０１７０】
ここで、固有の識別情報が第３のＩＰアドレスである映像監視装置１００を利用するパスワード“Ｃ”を所有するユーザからのカメラ情報の変更依頼に応じて、例えば図６に示す照会用情報３２０Ａの「カメラ＃１〜＃３のみの表示」が「全カメラ表示」に変更された場合は、変更後の照会用情報３２０Ａは、図１４に示す内容に変更される。
【０１７１】
そして、情報保持サーバ３００は、パスワード認証のときは、図１４に示す変更後の照会用情報３２０Ａに基づき認証処理を実行することになる。
【０１７２】
さて、固有の識別情報が第３のＩＰアドレスである映像監視装置１００を利用するパスワード“Ｃ”を所有するユーザは、全カメラの撮像に関わる映像データ（画像）を映像監視装置１００の表示部１４０に表示させるべく、パスワード“Ｃ”の入力及び映像データの送信要求を指示する。
【０１７３】
すると、映像監視システム５０では、図１０に示したＳ１３１〜Ｓ１３８と同様の処理が実施される（Ｓ２４３〜Ｓ２５０、図１９のＳ２６４〜Ｓ２７２参照）。
【０１７４】
なお、図１９に示す例においては、Ｓ２６９〜Ｓ２７２においては、情報保持サーバ３００から映像取得装置２００へ全カメラ表示を許可する旨（全てのカメラ＃１〜＃１６に関わる映像データについて表示許可する旨）が通知される（Ｓ２６９）。
【０１７５】
また、映像取得装置２００から映像監視装置１００へ、映像データの送信要求に対する結果としてのカメラ表示許可として（Ｓ２７０）、全てのカメラ＃１〜＃１６に関わる映像データが転送される（Ｓ２７１）。
【０１７６】
そして、映像監視装置１００の表示部１４０には、全てのカメラ＃１〜＃１６に関わる映像データ（画像）が表示される（Ｓ２７２）。
【０１７７】
再度、図１８を参照して説明する。映像取得装置２００は、全てのカメラ＃１〜＃１６に関わる映像データを映像監視装置１００へ転送したときは、映像データの表示完了であると認識して（図１９のＳ２７３参照）、表示完了を示す旨を情報保持サーバ３００へ通知する（Ｓ２５１、図１９のＳ２７４参照）。
【０１７８】
情報保持サーバ３００は、映像取得装置２００からの表示完了を示す旨の通知をトリガーとして、該当する変更後のカメラ情報を変更前のカメラ情報に書き戻す（Ｓ２５２、図１９のＳ２７５）。これにより、照会用情報は、図１４に示す内容から図６に示す内容に変更される。
【０１７９】
これ以降においては、固有の識別情報が第３のＩＰアドレスである映像監視装置１００を利用するパスワード“Ｃ”を所有するユーザが、パスワード“Ｃ”の入力及び映像データの送信要求を指示したとしても、パスワード認証は図６に示す照会用情報に基づき認証処理されるので、映像監視装置１００の表示部１４０には、全カメラに関わる映像データ（画像）は表示されず、正規のカメラ情報に基づくカメラ＃１〜＃３のみに関わる映像データ（画像）が表示されることとなる。
【０１８０】
なお、第２の実施形態では、カメラ情報のみの変更及び書き戻しの処理を実施するようにしているが、本発明はこれに限定されることなく、次のようにしても良い。
【０１８１】
すなわち、情報保持サーバ３００を管理する管理者は、映像監視装置１００を利用するユーザからのカメラ情報の変更依頼のときに、照会用情報に登録されていない任意のパスワードを、一時的に使用可能な暫定のパスワードとして当該ユーザに通知する。
【０１８２】
また、情報保持サーバ３００は、照会用情報において、変更依頼のあったユーザの正規のパスワードを上記暫定のパスワードに変更すると共に、当該正規のパスワードに対応するカメラ情報を変更情報に基づくカメラ情報に変更する。
【０１８３】
このようにすることで、暫定のパスワードを通知されたユーザがその暫定のパスワードを入力して、映像データの送信要求を指示することにより、変更後の照会用情報に基づきパスワード認証され、該当する映像データが映像監視装置１００に表示される。
【０１８４】
そして、この場合も、情報保持サーバ３００は、映像取得装置２００からの表示完了を示す旨の通知をトリガーとして、暫定のパスワード及び変更後のカメラ情報を、正規のパスワード及び変更前のカメラ情報に変更すれば良い。
【０１８５】
（Ｂ−３）第２の実施形態の効果
以上説明したように、第２の実施形態によれば、一時的に、予め設定される権限情報（カメラ情報）とは異なる権限情報（カメラ情報）に基づく映像データ（画像）を、映像監視装置に表示させることができる。
【０１８６】
しかも、映像データ（画像）が表示された後は（あるいは映像取得装置から映像監視装置へ表示許可された映像データが全て転送されたときは）、変更後の権限情報（カメラ情報）を変更前の権限情報（カメラ情報）に書き戻すことにより、予め設定される正規の権限情報（カメラ情報）に基づく映像データ（画像）を映像監視装置に表示させることができる。
【０１８７】
そのため、複数のカメラのうち任意のカメラに関わる映像データのみの表示が許可されている所定のユーザによる、全て（複数）のカメラに関わる映像データ（全カメラに対応する映像データ）を表示させたいなどの要望に対し、従来の技術では、全カメラに対応する映像データを表示許可させるためのパスワードを当該所定のユーザに公開する方法で実現するようにしているので、全カメラに対応する映像データが表示された後も、当該所定のユーザに当該パスワードが流出することとなり、セキュリティが維持できない。
【０１８８】
これに対し、第２の実施形態によれば、所定のユーザに正規のパスワード以外のパスワードが公開されることはなく、権限情報（カメラ情報）の変更及び書き戻しの処理により上記の要望を実現するようにしているので、全て（複数）のカメラに関わる映像データが表示された後であっても、セキュリティを確実に維持することが可能である。
【０１８９】
（Ｃ）他の実施形態
本発明は、同一構内において映像監視装置と映像取得装置とがＬＡＮ（ローカルエリアネットワーク）又は無線ＬＡＮを介して接続可能であると共に、映像取得装置と管理装置とが通信回線を介して接続可能である映像監視システムに適用することができる。
【図面の簡単な説明】
【０１９０】
【図１】第１の実施形態に係る映像監視システムの構成を示す構成図である。
【図２】第１の実施形態に係る映像監視装置の機能構成を示す機能ブロック図である。
【図３】第１の実施形態に係る映像取得装置の機能構成を示す機能ブロック図である。
【図４】図３に示した映像取得装置の蓄積部に蓄積されるファイルのファイル構成の一例を示す図である。
【図５】第１の実施形態に係る情報保持サーバの機能構成を示す機能ブロック図である。
【図６】第１の実施形態に係る情報保持サーバの記憶部に記憶される照会用情報の一例を示す図である。
【図７】第１の実施形態に係る映像監視装置の処理の処理手順を示すフローチャートである。
【図８】第１の実施形態に係る映像取得装置の処理の処理手順を示すフローチャートである。
【図９】第１の実施形態に係る情報保持サーバの処理の処理手順を示すフローチャートである。
【図１０】第１の実施形態に係る映像監視システムによる映像表示処理動作を示すシーケンス図である。
【図１１】第１の実施形態に係る映像監視システムによる映像表示処理の流れを説明する図である。
【図１２】第２の実施形態に係る映像監視システムの構成を示す構成図である。
【図１３】第２の実施形態に係る情報保持サーバの機能構成を示す機能ブロック図である。
【図１４】第２の実施形態に係る情報保持サーバの記憶部に記憶される照会用情報（変更後の照会用情報）の一例を示す図である。
【図１５】第２の実施形態に係る映像取得装置の機能構成を示す機能ブロック図である。
【図１６】第２の実施形態に係る映像取得装置の処理の処理手順を示すフローチャートである。
【図１７】第２の実施形態に係る情報保持サーバの処理の処理手順を示すフローチャートである。
【図１８】第２の実施形態に係る映像監視システムによる映像表示処理動作を示すシーケンス図である。
【図１９】第２の実施形態に係る映像監視システムによる映像表示処理の流れを説明する図である。
【図２０】従来の映像監視システムの構成を示す構成図である。
【図２１】従来の照会用情報を示す図である。
【図２２】従来の映像監視システムによる映像データの表示処理動作を示すシーケンス図である。
【符号の説明】
【０１９１】
１０、５０…映像監視システム、２１、２２、２３…ネットワーク機器、３０…通信回線、１００…映像監視装置、１１０…プログラム記憶部、１２０…記憶部、１３０…入力部、１４０…表示部、１５０…制御部、１５１…映像データ送信要求部、１６０…通信部、２００…映像取得装置、２１０…映像処理部、２２０…ファイル生成部、２３０…蓄積部、２４０…記憶部、２５０…制御部、２５１…表示許可依頼部、２５２…転送部、２５３…表示完了通知部、２６０…通信部、３００…情報保持サーバ、３１０…制御部、３１１…認証部、３１２…映像データ表示許可部、３１３…変更部、３２０…記憶部、３２０Ａ…照会用情報、３３０…記憶部、３４０…通信部、４１０、４２０…通話装置、４３０…電話回線。
【図１】
2007258957.tif 000003
【図２】
2007258957.tif 000004
【図３】
2007258957.tif 000005
【図４】
2007258957.tif 000006
【図５】
2007258957.tif 000007
【図６】
2007258957.tif 000008
【図７】
2007258957.tif 000009
【図８】
2007258957.tif 000010
【図９】
2007258957.tif 000011
【図１０】
2007258957.tif 000012
【図１１】
2007258957.tif 000013
【図１２】
2007258957.tif 000014
【図１３】
2007258957.tif 000015
【図１４】
2007258957.tif 000016
【図１５】
2007258957.tif 000017
【図１６】
2007258957.tif 000018
【図１７】
2007258957.tif 000019
【図１８】
2007258957.tif 000020
【図１９】
2007258957.tif 000021
【図２０】
2007258957.tif 000022
【図２１】
2007258957.tif 000023
【図２２】
2007258957.tif 000024